(57)【特許請求の範囲】
【請求項１】
長さ方向に沿って開口部を有する長尺枠材が開口部を内側にして長方形状に枠組みされて、内周形状を長方形状とした枠体が形成され、前記枠体内に透光性合成樹脂からなる透光板がその周縁部を枠材の開口部の中に挿入されて保持されていると共に、透光板は外周形状が前記枠体の内周形状より大きな長方形状である合成樹脂板の隅部の角が切り取られている形状であって、角が切り取られた前記隅部の端縁は、開口部内から外にはみ出さないようになされていると共に切り取られた角の分だけ前記隅部は開口部に浅く挿入されていることを特徴とする透光性遮音板。
【請求項２】
透光板の隅部の角が斜めに切り取られていることを特徴とする請求項１記載の透光性遮音板。
【請求項３】
透光板は、その周縁部の一辺が固定具を介して枠材に固定されると共に、その辺の２隅部の角が斜めに切り取られていることを特徴とする請求項１又は２記載の透光性遮音板。
【請求項４】
透光板は、その周縁部の少なくとも二辺以上が固定具を介して枠材に固定されると共に、４隅部全ての角が斜めに切り取られていることを特徴とする請求項１又は２記載の透光性遮音板。
【請求項５】
透光板は、ポリカーボネート板の表面にアクリル系又はシリコーン系のハードコート層が形成されたものであることを特徴とする請求項１、２、３又は４記載の透光性遮音板。
【発明の詳細な説明】
【０００１】
【発明の属する技術分野】
本発明は、遮音を目的として主として道路や鉄道の沿線等に沿って設置される透光性遮音板に関するものである。
【０００２】
【従来の技術】
車両からの騒音を遮断するために、道路や鉄道の沿線等に沿って遮音板が設置されている。かかる遮音板はＰＣコンクリートや金属等の不透光性の遮音板から形成されたものもあるが、不透光性の遮音板から形成されたものは遮音性に優れるものの、高架道路に設置する場合は基礎部分となる土台との関係において重量的に重くなり、また不透光性により周囲の風景が遮られるため、圧迫感があり、また景観性に乏しいものとなる等の問題がある。
【０００３】
【発明が解決しようとする課題】
そこで近年では軽量化を図ると共に周囲の風景が遮られないように、透光性を有するポリカーボネート等の透光性合成樹脂からなる透光板から形成された遮音板が富に用いられるようになっている。従来、かかる透光性遮音板としては、断面Ｌ字状の金属製枠材により四角形状に枠組みされた枠体の前面に同じ四角形状の透光板を全周にわたってボルト止めしたものがある。
【０００４】
しかしながら金属製枠体の前面に透光板をボルト止めしたものは、金属製枠体と透光性合成樹脂からなる透光板との熱膨張率が異なることから、透光板が膨張、収縮することにより透光板が波打ち、歪みやすい問題がある。又透光板の全周が枠体に固定されているために、最近の走行車両のスピードアップに起因する衝突事故や大型クレーン車の衝突事故等において、大きな衝撃荷重が透光板に加わると、透光板が破壊されてその破片が飛散することがある。しかも遮音板の下方に鉄道や道路等がある高架道路等に設置された場合には破壊された透光板の破片が落下して二次災害を起こす危険性がある。
【０００５】
そこで、透光板の膨張、収縮に対処するために、特開平７−１１６０８号公報に記載される如く、四角形状に枠組みした枠体と、その周囲に沿って取付けた押縁との間に開口部を形成し、その開口部内に同じ四角形状の透光性合成樹脂からなる透光板の周縁部を挿入すると共に、透光板の上辺の数カ所をボルトにより枠体に固定することにより、枠体内に透光板が保持されるようになされた遮音板も提案されている。
【０００６】
この遮音板においては、透光板と枠体とが数カ所ボルトにより固定されているのみで、透光板の大半が単に開口部に挿入保持されているだけなので、透光板の膨張、収縮には充分対処することができる。しかし衝突事故等により大きな衝撃荷重が透光板に加わった場合においては、四角形状の透光板の隅部の角は、深く枠材の開口部に挿入されているために、透光板の自由な弾性変形が規制されると共に開口部より抜けにくいことから、依然としてこの隅部付近では部分的に応力集中が発生して破壊する問題がある。特に上記特開平７−１１６０８号公報の遮音板の如く、透光板の上辺の数カ所がボルトにより枠体に固定されている場合にあっては、固定された上辺の左右の隅部付近では特に隅部の自由な動きが規制されるために、破壊が発生しやすい。
【０００７】
さらに透光板にポリカーボネート板を使用した場合は、ポリカーボネート板の耐候性を向上させるために、一般にはその表面にアクリル系又はシリコーン系のハードコート層が形成されるところ、ポリカーボネート板の耐衝撃性は、このハードコート層の形成により低下することが知られていることから、かかる隅部付近の応力集中による破壊防止策を特に考慮する必要が生じている。
【０００８】
そこで本発明は、隅部を開口部から抜けやすくすることにより上記の如き問題点を解決し、透光板に大きな衝撃荷重が加わっても透光板の破壊が防止される透光性遮音板を提供せんとするものである。
【０００９】
【課題を解決するための手段】
上記目的を達成するために、本発明は次のような構成としている。
すなわち本発明に係る透光性遮音板は、長さ方向に沿って開口部を有する長尺枠材が開口部を内側にして長方形状に枠組みされて、内周形状を長方形状とした枠体が形成され、前記枠体内に透光性合成樹脂からなる透光板がその周縁部を枠材の開口部の中に挿入されて保持されていると共に、透光板は外周形状が前記枠体の内周形状より大きな長方形状である合成樹脂板の隅部の角が切り取られている形状であって、角が切り取られた前記隅部の端縁は、開口部内から外にはみ出さないようになされていると共に切り取られた角の分だけ前記隅部は開口部に浅く挿入されていることを特徴とするものである。
【００１０】
本発明によれば、透光性合成樹脂からなる透光板は、その周縁部が枠材の開口部の中に挿入されて枠体内に保持されているので、透光板の膨張、収縮には充分対処することができる。
【００１１】
しかも透光板は四角形状から隅部の角が切り取られ、隅部は切り取られた角の分だけ枠材の開口部に浅く挿入されることとなるので、透光板に大きな衝撃荷重が加わった場合においては、透光板の隅部付近の自由な弾性変形がさほど規制されることなく、又隅部は開口部より抜け易くなることから、この隅部付近においても応力集中が発生しにくく、破壊から防止される。
【００１２】
なお本発明において、隅部の角の切り取り形状は特に限定されるものではないが、角形に切り取るとそこにエッジ効果が働いて割れの開始点となることがあるために、斜めに切り取るのが好ましい。
【００１３】
又本発明において、角を切り取る隅部の数は特に限定されず、１の隅部でもよいし、２以上の隅部であってもよいが、透光板の周縁部の一辺が固定具を介して枠材に固定される場合は、その辺の２隅部が、特に弾性変形が規制されると共に開口部から抜けにくくなるので、少なくともその２隅部の角を切り取るのが効果的であり、又その切り取り形状は前記した理由から割れの開始点にならないように斜めに切り取るのが好ましい。
【００１４】
又透光板の周縁部の少なくとも二辺以上が固定具を介して枠材に固定される場合は、４隅部全てにおいて弾性変形が規制されると共に開口部から抜けにくくなるので、４隅部全ての角を斜めに切り取るのが好ましい。
【００１５】
なお本発明においては、上記の如く透光板に大きな衝撃荷重が加わっても透光板の破壊が防止されるので、透光板として、表面にアクリル系又はシリコーン系のハードコート層を形成したポリカーボネート板を使用すれば、隅部の角の切り取りにより透光板の破壊を防止しつつ、ハードコート層により透光板の耐候性を向上させることができる。
【００１６】
【発明の実施の形態】
以下に本発明の実施の形態につき図面に基づき具体的に説明する。
まず図１は本発明の実施の一形態を示す正面図、図２は図１の縦断面図、図３は図１の横断面図、図４は図１に用いられた縁取り部材の断面図、図５は図１に用いられた透光板の正面図である。
【００１７】
図１〜５において、１は枠体であり、２はこの枠体１を構成する枠材であり、左右の縦枠材２ａ，２ｂと上下の横枠材２ｃ，２ｄとから構成されている。３は透光板である。
【００１８】
枠材２は、好適には軽量且つ強度、耐食性に優れるアルミニウム合金や、その他、鉄等の金属やＦＲＰ樹脂等を用いた、断面円形、方形、多角形等の適宜形状の中空長尺型材から形成され、一側面には長さ方向に沿って開口部２１が形成されているものである。そしてこの長さ方向に沿って開口部２１が形成された長尺枠材２がその開口部２１を内側にして溶接、ビス止め等に適宜接合手段により四角形状に枠組みされて枠体１が形成されている。前記開口部２１は、前記の如く枠材２に一体的に形成されていてもよいし、枠材２に別体の押縁等が取付けられて開口部２１が形成されていてもよい。
【００１９】
透光板３は透光性合成樹脂から形成され、ポリカーボネート、アクリル樹脂、硬質のポリ塩化ビニル等、またはこれら等の複合体からなる適宜材質の合成樹脂板が用いられるが、一般には耐衝撃性にすぐれたポリカーボネート板が好適に使用される。なおポリカーボネート板が使用される場合は、このポリカーボネート板にアクリル系又はシリコーン系のハードコート層を形成し、このハードコート層により表面硬度を高めて傷を付きにくくすると共に、耐候性を向上させておくのが好ましい。
【００２０】
４は前記透光板３の周縁部に沿って装着されたゴムや軟質合成樹脂等の弾性材からなる縁取り部材である。この縁取り部材４は、図４の如く、断面が略コ字状となされて長手方向に沿って凹溝４１が形成されると共に、外側面には容易に弾性変形可能であるくさび状の突条４２が長手方向に沿って複数本突設されている。そして前記凹溝４１に透光板３の縁部を挿入させることにより、透光板３の縁部に沿って装着されるようになされている。
【００２１】
前記縁取り部材４が装着された透光板３の周縁部は、前記縁取り部材４のくさび状の突条４２を圧縮した状態で枠材２の開口部２１の中に挿入されると共に挿入された透光板の上辺の数カ所がボルト等の固定具５を介して上横枠材２ｃに固定されている。なお前記縁取り部材４によって、透光板３の振動が抑えられると共に、例え振動しても縁取り部材４によって保護されるので周縁部が傷ついたり、騒音が発生するようなことがなくなる。もちろん縁取り部材４を使用せずに、透光板３がそのまま開口部２１に挿入されていてもよい。
【００２２】
さらに本形態では、前記透光板３は、四角形状の４隅部のうち、固定された上辺の左右の２隅部３１の角３２が斜めに切り取られている。切り取り形状は特に限定されるものではないが、２隅部３１の角３２を切り取るのは、固定した上辺の左右の２隅部３１は、特に自由な弾性変形が規制されると共に開口部２１から抜けにくくなり、それが破壊につながることから、少なくともその２隅部３１の角３２を切り取って抜けやすくするためである。従って、抜けやすくするために、切り取る形状は細長の三角状に、すなわち横方向の切り取りは、切り取った部分が開口部２１内に納まるように開口部２１の挿入寸法以内とし、この横方向に対して縦方向にはできるだけ長く切り取るのが好ましい。本形態では透光板３の縦寸法の１／４程度まで斜めに切り取られている。
【００２３】
なお上記と異なり、図６の如く縦寸法の全てにわたって斜めに切り取られていてもよく、又斜めに切り取る以外でも、図７の如く角３２が縦方向に垂直に切り取られ、その下端はエッジにならないようにアール加工されていてもよい。又角３２が切り取られた隅部３１の端縁は、開口部２１内から外にはみ出さないようになされている。外にはみだすと美観上このましくなく、又そこから音漏れが発生する。
【００２４】
なお、前記上辺の左右の２隅部３１のみでなく、図８及び図９の如く、４隅部３１全ての角３２が切り取られていてもよく、又この切り取り形状についても特に限定されないが、上記の如く斜めに切り取られているのが好ましい。透光板３の周縁部の少なくとも二辺以上が固定具５を介して枠材２に固定された場合においては、４隅部３１全てにおいて自由な弾性変形が規制されると共に開口部２１から抜けにくくなるが、４隅部３１全ての角３２を切り取ることにより、これらの問題は解消する。
【００２５】
上記形態は、透光板３の周縁部のいずれかの辺が固定具５等により固定されている場合であるが、本発明は上記形態に限定されず、透光板３を枠材２に固定せずに全周縁部が単に開口部２１内に挿入されているだけの場合であっても効果的である。すなわち透光板３を枠材２に全く固定しない場合であっても、隅部３１の角３２があれば、その角３２により透光板３は隅部３１付近の弾性変形が規制されると共に開口部２１より抜けにくくなるために、上記例示した如く、隅部３１の角３２を切り取っておくことにより、これらの問題が解消され、透光板３に大きな衝撃荷重が加わった場合であっても、透光板３の破壊が効果的に防止される。
【００２６】
次に衝撃試験について説明する。
まず、シリコーン系のハードコート層を形成した厚み８ｍｍのポリカーボネート板を透光板３として使用し、その透光板３の上辺の左右の２隅部３１の角３２を斜めに切り取り、これを図１〜５に示された如く構成した本発明に係る実施例としての透光性遮音板を作製し、又比較例として透光板３の隅部３１の角３２を切り取っていない以外は、実施例と同じである従来の透光性遮音板を作製した。
【００２７】
この実施例と比較例について、それぞれ透光板３の面を水平にして、その上９５ｃｍの高さから３００ｋｇの重錘を透光板に落下させ、透光板３の破損状態を確認したところ、隅部３１の角３２を切り取っていない従来例では透光板３が破壊されたが、隅部３１の角３２が切り取られた実施例では破壊されなかった。
【００２８】
【発明の効果】
本発明によれば、透光性合成樹脂からなる透光板は、その周縁部が枠材の開口部の中に挿入されて枠体内に保持されているので、透光板の膨張、収縮には充分対処することができる。
【００２９】
しかも透光板は四角形状から隅部の角が切り取られ、隅部は切り取られた角の分だけ枠材の開口部に浅く挿入されることとなるので、透光板に大きな衝撃荷重が加わった場合においては、透光板の隅部付近の自由な弾性変形がさほど規制されることなく、又隅部は開口部より抜け易くなることから、この隅部付近においても応力集中が発生しにくく、破壊から防止される。
【図面の簡単な説明】
【図１】本発明の実施の一形態を示す正面図である。
【図２】図１の縦断面図である。
【図３】図１の横断面図である。
【図４】図１に用いられた縁取り部材の断面図である。
【図５】図１に用いられた透光板の正面図である。
【図６】本発明に用いられる透光板の他の形態を示す正面図である。
【図７】本発明に用いられる透光板の他の形態を示す正面図である。
【図８】本発明に用いられる透光板の他の形態を示す正面図である。
【図９】本発明に用いられる透光板の他の形態を示す正面図である。
【符号の説明】
１    枠体
２    枠材
２ａ  左縦枠材
２ｂ  右縦枠材
２ｃ  上横枠材
２ｄ  下横枠材
２１  開口部
３    透光板
３１  隅部
３２  角
４    縁取り部材
４１  凹溝
４２  突条
５    固定具
【図１】
0003647233.tif 000002
【図２】
0003647233.tif 000003
【図３】
0003647233.tif 000004
【図４】
0003647233.tif 000005
【図５】
0003647233.tif 000006
【図６】
0003647233.tif 000007
【図７】
0003647233.tif 000008
【図８】
0003647233.tif 000009
【図９】
0003647233.tif 000010